(57)【要約】胃内保持器（１０）の自動製造方法及び装置。本方法は、膜内に、成分部を有するポーチ組立体を提供し、膜を折り曲げて折り曲げポーチ組立体を形成し、折り曲げポーチ組立体を第一カプセル部（２０ａ）内に挿入してポーチ／第一カプセル組立体を形成し、ポーチ／第一カプセル組立体を第二カプセル部（２０ｂ）内へ挿入する段階を含む。本方法は更に、複数のポーチ組立体（１８）の帯状片（３２）を提供し、帯状片（３２）から単一のポーチ組立体を切断する段階を含む。上記方法の為、ポーチ組立体（１８）をスライド移動可能な通路（６２）を備えた工具ブロック（４４）と、工具ブロックの上面から通路へ延びてポーチ組立体を収容する工具ポケット（６０）とを含む装置（３８）が提供される。ラム（８６）は、ポーチ組立体を工具ポケットから、ポーチ組立体が折曲げられ且つカプセル化される通路内へ押し込む。
2007500030.tif 000002
【特許請求の範囲】
【請求項１】
胃内保持器の自動製造方法であって、前記方法は、
（Ａ）  ポーチ組立体の帯状片を提供する段階であって、前記ポーチ組立体の事実上各々は膜内にシールされた成分部を含むことと、
（Ｂ）  前記帯状片からポーチ組立体を分離する段階と、
（Ｃ）  前記膜を折り曲げて、折り曲げポーチ組立体を形成する段階と、
（Ｄ）  第一及び第二カプセル部を提供する段階と、
（Ｅ）  前記折り曲げポーチ組立体を前記第一カプセル部内に挿入して、ポーチ／第一カプセル部組立体を形成する段階と、および
（Ｆ）  前記ポーチ／第一カプセル部組立体を前記第二カプセル部と組み合わせて前記ポーチ組立体を完全にカプセル化する段階とを備える胃内保持器の自動製造方法。
【請求項２】
前記ポーチ組立体は、前記ポーチ組立体の前記成分部から延びる前記膜により形成される少なくとも一つのフラップを有し、段階（Ｃ）は、前記フラップが前記成分部を巻き付ける段階をさらに含むことを特徴とする請求項１に記載の胃内保持器の自動製造方法。
【請求項３】
段階（Ｃ）は、前記フラップを巻き付ける以下の段階：
（ｉ）  前記ポーチ組立体を、表面と前記ポーチ組立体を収容する寸法でそこに形成されたポケットを備えた工具ブロック上に設置し、前記ポーチ組立体が前記ポケット越しに設置され、前記フラップが前記成分部から遠ざかるように延びる段階と、
（ｉｉ）  前記成分部に対して前記フラップを折り曲げるように前記ポケット内に前記ポーチ組立体の前記成分部を押す段階とを含むことを特徴とする請求項２に記載の胃内保持器の自動製造方法。
【請求項４】
段階（Ｅ）が、前記折り曲げポーチ組立体を前記ポケットに連結された通路から前記第一カプセル部内へ押し込む段階を含むことを特徴とする請求項２又は３に記載の胃内保持器の自動製造方法。
【請求項５】
段階（Ｆ）が、前記ポーチ／第一カプセル部を前記通路から前記第二カプセル部内へ押し込む段階を含むことを特徴とする請求項２〜４のいずれか一項に記載の胃内保持器の自動製造方法。
【請求項６】
前記段階（Ａ）から（Ｆ）のうち少なくとも二つは異なる位置で行なわれ、前記ポーチ組立体が可動面により前記位置の各々に進められることを特徴とする請求項２〜５のいずれか一項に記載の胃内保持器の自動製造方法。
【請求項７】
前記可動面が回転様式で割り出して、前記ポーチ組立体を前記位置の各々に移動させる作業台を含むことを特徴とする請求項６に記載の胃内保持器の自動製造方法。
【請求項８】
少なくとも以下の構成要素：１）成分部と、２）成分部から延びる少なくとも一つのフラップを有するポーチを形成するように成分部を囲む膜（膜と組み合わせた成分部は、"ポーチ組立体"と呼ばれる）と、及び、ポーチ組立体を囲み且つ体液との接触時に破れてポーチ組立体を放出できるカプセルとを有する胃内保持器の製造方法であって、前記カプセルは第一及び第二カプセル部を有し、前記方法は、以下の自動化段階：
（Ａ）  ポーチ組立体を提供する段階と、
（Ｂ）  前記ポーチ組立体を工具ブロック上に配置する段階であって、前記工具ブロックは表面とポケットとを有し、前記ポケットは前記ポーチ組立体を収容する寸法に形成され、前記ポーチ組立体の前記成分部は前記ポケット越しに配置され、前記フラップは前記ポケットから遠ざかるように延びることと、
（Ｃ）  前記成分部を中心にして前記フラップを折り曲げるように、前記ポーチ組立体の前記成分部を前記ポケット内へ押すことにより、前記フラップを折り曲げる段階と、
（Ｄ）  段階（Ｃ）で折り曲げられた前記ポーチ組立体を第一カプセル部内に挿入してポーチ／第一キャップ組立体を形成する段階と、および
（Ｅ）  前記ポーチ／第一カプセル組立体を第二カプセル部に連結して前記ポーチ組立体を完全にカプセル化する段階とを含む胃内保持器の製造方法。
【請求項９】
さらに、
（Ａ）（ｉ）  前記ポーチ組立体の帯状片を提供する段階と、
（Ａ）（ｉｉ）  前記帯状片から単一のポーチ組立体を分離する段階とを含むことを特徴とする請求項８に記載の胃内保持器を製造する方法。
【請求項１０】
段階（Ｃ）がさらに、
（Ｃ）（ｉ）  前記工具ブロックの表面に亘って部材を移動させて、前記ポケットから外へ延びる前記フラップを折り曲げる段階を含むことを特徴とする請求項８又は９に記載の胃内保持器を製造する方法。
【請求項１１】
段階（Ｃ）が、さらに、
（Ｃ）（ｉｉ）  前記工具ブロックの表面に亘って第二部材を移動させて、前記ポケットから外へ延びる第二フラップを折り曲げる段階を含むことを特徴とする請求項１０に記載の胃内保持器を製造する方法。
【請求項１２】
段階（Ｅ）は、前記折り曲げポーチ組立体を通路から前記第一カプセル部内へ移動させる段階を含み、前記通路は前記工具ブロックを通って延び前記ポケットに連結され且つ前記ポケットの下方に位置し、前記ポーチ組立体が段階（Ｃ）の間に前記ポケットを通って前記通路内に移動することを特徴とする請求項８〜１１のいずれか一項に記載の胃内保持器を製造する方法。
【請求項１３】
段階（Ｆ）が、段階（Ｅ）で形成された前記第一カプセル部／折り曲げポーチを、前記工具ブロックの前記通路から前記第二カプセル部内に移動させる段階を含むことを特徴とする請求項１２に記載の胃内保持器を製造する方法。
【請求項１４】
前記（Ａ）から（Ｅ）のうち少なくとも二つが異なる作業位置で起こることを特徴とする請求項８から１３のいずれかに記載の胃内保持器を製造する方法。
【請求項１５】
前記工具ブロックが複数提供され、前記工具ブロックの各々が、処理段階を行なう前記場所の各々に移動させられることを特徴とする請求項１４に記載の胃内保持器を製造する方法。
【請求項１６】
少なくとも以下の構成要素：１）成分部と、２）前記成分部から延びる少なくとも一つのフラップを有するポーチを形成するように成分部を囲む膜（膜と組み合わせた成分部は"ポーチ組立体"と呼ばれる）と、及び、ポーチ組立体を囲み且つ体液との接触時に破れてポーチ組立体を放出できるカプセルとを有する胃内保持器を製造装置であって、前記カプセルは第一及び第二カプセル部を有し、前記装置は、
前記ポーチ組立体がスライド通過可能な貫通通路を備える工具ブロックと、前記ポーチ組立体を収容し且つ前記工具ブロックの表面から前記通路へ延びるように構成された工具ポケットと、
前記ポーチ組立体を前記工具ポケットから前記通路内へ押すために配置された第一押し部材と、
前記工具ブロックの前記通路から延びる前記ポーチ組立体のフラップの任意の部分を折り曲げる少なくとも一つの折り曲げ部材であって、前記折り曲げ部材は前記工具ブロックに対して制御されて可動なことと、および
前記ポーチ組立体を前記通路から前記第一キャップ部内へ押すために配置された第二押し部材とを備える装置。
【請求項１７】
さらに、前記ポーチ組立体を前記通路から前記第二キャップ部内へ押すために配置された第三押し部材を含むことを特徴とする請求項１６に記載の装置。
【請求項１８】
さらに、ポーチ組立体を前記ポーチ組立体の帯状片から切断するために配置されたカッターを含むことを特徴とする請求項１６又は１７に記載の装置。
【請求項１９】
さらに、種々の製造工程が行なわれる複数の作業位置を含み、前記工具ブロックが、前記工具ブロックを前記作業位置の各々へ移送する可動面上へ載せられることを特徴とする請求項１６〜１８のいずれか一項に記載の装置。
【請求項２０】
さらに、前記可動面上に載せられる複数の前記工具ブロックを含み、前記可動面が前記工具ブロックの各々を前記作業位置の各々へ移送することを特徴とする請求項１９に記載の装置。
【請求項２１】
前記可動面は、円形路に沿って動く回転作業台を含み、前記作業位置は定置式であり且つ前記作業台の円周周りに配置されることを特徴とする請求項１９又は２０に記載の装置。
【請求項２２】
前記通路が、異なる直径の部分を少なくとも二つ有することを特徴とする請求項１６〜２１のいずれか一項に記載の装置。
【請求項２３】
さらに、前記フラップを折り曲げるため、前記ポケット越しにスライド可能なアームを含むことを特徴とする請求項１６〜２２のいずれか一項に記載の装置。
【請求項２４】
前記第一押し部材はラムを含み、前記第二押し部材は押し棒を含むことを特徴とする請求項１６〜２３のいずれか一項に記載の装置。
【請求項２５】
少なくとも以下の構成要素：１）成分部と、２）前記有効成分部から延びる少なくとも一つのフラップを有するポーチを形成するように成分部を囲む膜（膜と組み合わせた成分部は"ポーチ組立体"と呼ばれる）と、及び、ポーチ組立体を囲み且つ体液との接触時に破れてポーチ組立体を放出できるカプセルとを有する胃内保持器の製造のために使用される工具ブロックであって、前記カプセルは第一及び第二カプセル部を有し、前記工具ブロックは、
表面と、
前方端と、
後方端と、
前記前方端の前方開口部から前記工具ブロックを通って前記後方端の後方開口部へ延びる通路であって、前記通路が、そこを前記ポーチ組立体がスライド式で移動できるように構成された通路と、および
前記工具ブロックの前記表面から前記通路へ延び、前記ポーチ組み立て体を収容するように構成された工具ポケットであって、前記工具ブロックは、前記ポーチ組立体が前記工具ポケットから前記通路内へ設置されると、前記フラップが前記ポケットから外へ延びるように構成されることとを含むことを特徴とする工具ブロック。
【請求項２６】
前記通路が、互いに異なる直径をもつ少なくとも二つの部分からなることを特徴とする請求項２５に記載の工具ポケット。
【請求項２７】
前記通路は、カプセル本体を収容する寸法にした第一部分と、前記第一部分と隣接し且つ前記カプセル本体の内径よりも小さい第二部分とを含み、第二部分を通って前記ポーチ組立体が前記カプセル本体内にスライドできることを特徴とする請求項２６に記載の工具ポケット。
【発明の詳細な説明】
【技術分野】
【０００１】
本発明は、胃内保持器の自動製造方法及び装置に関する。このような保持器の例は、参照文献により本明細書に盛り込んである米国特許第４，９９６，０５８号に開示される型式の徐放型であるが、本発明は、このような徐放型に限定されず、任意の胃内保持器に適用できる。
【背景技術】
【０００２】
用語"徐放型"は、通常の錠剤かカプセルのような在来の剤型と比較して、胃内と小腸上部に有効成分の少なくとも一部分の放出を遅延させる剤型を示す。不都合な高い初期用量を避け、放出が比較的長期間にわたって連続的に生じ、有効濃度に制御される。徐放型は経口投与され、いったん、胃液と接触すると、胃液上に浮遊するように拡大し、および／または膨張後、その寸法のため、胃のスペース内に保持されるように拡大し、幽門括約筋の通過を阻止する。このようにして、胃内に残留し、確実に生理有効成分の放出を連続的に制御するようにする。
【０００３】
徐放型は、好ましくは、少なくとも一つの形態において、以下の：（ａ）  体液との接触時に拡大する少なくとも一つの成分（例えば、発泡剤を生成するか、構成する物質）、および／または生理作用物質、および／または生理作用物質の組み合わせ、および／または任意に医薬許容性親水性膨潤剤とさらに別の医薬許容性添加剤、（ｂ）  成分（ａ）を囲み、使用部位で拡大でき、体液に浸透できる少なくとも一つの親水性膜、および、（ｃ）  成分（ａ）と膜（ｂ）を囲み、胃内の使用部位で体液の作用下で遅延することなく破れる被覆、例えば、ゼラチンカプセルを特徴とする。
【０００４】
例として、本発明に適したこの型式の徐放型は、以下の形態をとり得る。成分（ａ）は、親水性膜かフィルム型の成分（ｂ）により囲まれ、成分（ｂ）内にシールされた錠剤型で提供され、その膜はポーチを形成し、その中に錠剤が位置する。錠剤と膜の組立体は、ゼラチンカプセル型で提供された成分（ｃ）内に組み入れられる。
【０００５】
経口的に摂取されると、徐放型は胃に移動し、そこでゼラチンカプセルが破れて、錠剤膜組立体を放出する。胃液と接触すると、錠剤は発泡剤、例えば二酸化炭素ガスを生じる。ガスは錠剤を囲む膜を膨張させ、ガス充填"バッグ"を形成する。このガス充填"バッグ"は、胃液上に浮遊することができ、および／または膨張後、幽門括約筋を通過できないので、胃に保持される。胃での滞留時間中、錠剤中に存在する任意の有効成分は、ゆっくりと放出され、および／または制御様式で、好ましくは拡散により、膜を通って周りの体液内に放出される。胃液は、さらに小腸上部内へ移送されているので、有効成分は、連続的に長期間にわたって十二指腸および空腸内へ通過し、そこで長期間にわたって吸収されることができる。徐放型は、確実に、一様な吸収と共に任意の有効成分を連続的に放出させるようにするか、少なくとも保持器が所望期間、胃に残留し得るようにする。いったんガス発生成分が使い果たされると、および／または"バッグ"が特定の寸法に収縮すると、保持器の残留物が体を通過できるようになる。
【発明の開示】
【発明が解決しようとする課題】
【０００６】
上記の一般型の胃内保持器の製造は、複雑になり得るので、幾つかの難題を含む。成分（類）（ａ）または錠剤は、膜（類）内にシールされ、ポーチを形成しなければならない。選択した薬剤か薬剤類に応じて、錠剤は、錠剤からポーチの媒体内へ、次いでポーチを通って拡散後、胃の胃液内へ薬剤か薬剤類が放出するのを制御する他の賦形剤もまた含有してもよい。ポーチが形成されると、ポーチを折り曲げてカプセル内に組み入れなければならない。このような胃内保持器は手動式で製造できるが、このような形態を製造する自動化および経済的な方法は、社会的に胃内保持器の利益をもたらす助けになり得ると思われる。
【課題を解決するための手段】
【０００７】
本発明は、カプセル内に挿入するため、折り曲げるか、巻き付ける必要のある胃内保持器の自動製造方法及び装置を提供する。巻き付けおよびカプセル化されるべき胃内保持器は、好ましくは、少なくとも次の構成要素：１）成分部と、２）成分部から延びる少なくとも一つのフラップを有するポーチを形成するように成分部を囲む膜（膜と組み合わせた成分部は"ポーチ組立体"と呼ばれる）と、ポーチ組立体を囲み且つ体液との接触時に破れてポーチ組立体を放出するカプセルとを有し、そのカプセルは第一及び第二カプセル部を有する。
【０００８】
一実施例において、方法は、以下の段階：ポーチ組立体の帯状片（strip）を提供する段階；帯状片からポーチ組立体を分離する段階；ポーチ組立体を工具ブロック上に配置する段階であって、工具ブロックはｉ）表面とｉｉ）ポーチ組立体を収容する寸法に形成されたポケットとを有することと；成分部がポケット越しに配置され、フラップがポケットから遠ざかるように延びるようにポーチ組立体を配置する段階；ポーチ組立体の成分部をポケット内へ押すことにより、フラップの少なくとも一つを折り曲げる段階；折り曲げられたポーチ組立体を第一キャップ部内に挿入してポーチ／第一キャップ組立体を形成する段階；および、ポーチ／第一キャップ組立体を第二キャップ部に連結して、ポーチを完全にカプセル化する段階を含む。
【０００９】
胃内保持器の製造装置もまた、提供される。一実施例において、装置は、貫通通路を備えた工具ブロックと、工具ブロックの表面から前記通路へ延びてポーチ組立体を収容するように構成される工具ポケットとを含む。ラムのような押し棒は、ポーチ組立体を工具ポケットから通路内へ押す。アームのような少なくとも一つの折り曲げ部材は、工具ブロックの通路から延びるポーチ組立体のフラップを折り曲げるために提供される。折り曲げアームは、工具ブロックに対して可動である。押し棒は、ポーチ組立体を通路から第一キャップ部内に押すために配置される。別の押し棒が、ポーチ組立体を通路から第二キャップ部内へ押すために装置上に配置される。
【発明を実施するための最良の形態】
【００１０】
以下の詳細な説明は、本明細書に添付した図面と同時に読むと、より良く理解されよう。本発明を例示する目的で図面に好適実施例を示す。しかし、この発明は、この実施例または図示の正確な配置に限定されないものとする。
【００１１】
本発明は、胃内保持器を製造する新規の方法及び装置を提供する。本発明の方法及び装置は、製造方法の自動化を可能にするので、このような保持器を経済的に製造できるようにする。
【００１２】
本発明に従って製造されるべき範例の胃内保持器１０は、図１、図１Ａおよび図１Ｂを参照して例示される。図１Ｂは、さらに詳細に記載する完全カプセル化胃内保持器１０を示す。
【００１３】
特に図１と図１Ａを参照すると、胃内保持器は、所望の有効成分を含む。有効成分の用語は、本明細書において非常に広義の意味で用いられ、保持器の動作に関して機能特性を有する任意の成分か、成分の組み合わせを含む。例えば、有効成分は、任意の一つ以上の生理有効成分、賦形剤、発泡剤か、成分（ａ）として背景部分において上記のような類似の可能性を含むことができる。有効成分は、好ましくは、保持器１０の中心又は共通成分部１２に提供され、好ましくは、錠剤１３型で提供される。錠剤１３は、好ましくは、深いか普通の凹面形カプレット形のような平らなカプセル形で形成される。錠剤１３の寸法は全て、特定の好適実施例で本発明に従う用途に利用できると考えられるが、有効成分は、好ましくは、寸法が高さ約３ｍｍ、長さと幅が約１６ｍｍ×６ｍｍの形状である。公称錠剤重量は６４０〜７５０ｍｇで、錠剤の硬度は約５０ニュートンである。所望の用途に応じて、他の形状、寸法、重量、硬度および形状構成が適する。固体の錠剤１３は、本明細書において例示目的で用いられるが、他の形状の成分部１２を用いてもよいものとし、本発明がその広い局面において錠剤に限定されないものとする。
【００１４】
成分部１２を囲むのは、フィルム又は膜１４（例えば、背景部分で記載されたような成分（ｂ）である）であり、内側の成分部１２からガスを発生させ、拡大またはガス充填"バッグ"を形成するように機能する成分のような膨張剤の活性化により膨張可能なポーチ１６を形成するように構成される。膜は、好ましくは、底部層１４ａと上部層１４ｂの二層で提供され、その間に成分部１２が挟み込まれる。二つの膜層１４ａ，１４ｂは、好ましくはヒートシールされ、シールポーチ１６を形成する。成分部１２を囲むポーチ領域は、フラップ、例えば図示のようなフラップ１５ａ，１５ｂと呼ばれる（前方と後方のフラップ１７ａ，１７ｂでもよい）。フラップは、好ましくは、成分部１２の外側に広がるポーチの任意の真空部分を含む。好適な膜フィルムは、ポリビニルアルコール（ＰＶＡ）であり、好ましくは、厚さが約１５０μｍ（±１０μｍ）で共にシールされた二つの膜層から形成してもよい。ポーチ１６は、好ましくは、内部寸法が約２０ｍｍ×２０ｍｍ〜２５ｍｍ×２５ｍｍであるが、所望の用途に応じて他の寸法も適する。シール幅は、ポーチの全周に示される内部寸法に加えて、好ましくは約２ｍｍ〜３ｍｍである。成分１２とポーチ１６の組み合わせは、図１と図１Ａに示されるように、本明細書において成分／ポーチ組立体１８またはポーチ組立体と呼ぶことにする。ポーチ組立体１８の角部は、好ましくは、図示されるように丸められ、処理中の損傷防止に役立つ。
【００１５】
成分／ポーチ組立体１８を囲むのは、カプセルかカプセル様容器２０（背景部分に記載されるような構成要素（ｃ））であり、第一カプセル部２０ａ（カプセル本体）と第二カプセル部２０ｂ（カプセルキャップ）を有する。図１Ｂを参照。カプセル２０は、胃液に暴露されると速やかに破れて、ポーチ組立体１８を放出する。カプセルは、好ましくは、成分部１２とポーチを含むのに適した寸法範囲のゼラチンであり、サイズ０ＥＬと００ＥＬは、例示の実施例に好適である。ポーチ組立体１８は、折り曲げられたコンパクトな形状でカプセル内部に組み入れられる。いったん、カプセルが破れると、ポーチ組立体１８は体液と接触し、拡大するか膨張して前記のような"バッグ"を形成する。
【００１６】
本発明の胃内保持器１０を製造する一つの好適方法（以下に記載される）は、ポーチ組立体１８の製造から始まる。図２に示されるのは、付着された成分／ポーチ組立体３２の帯状片を製造するポーチ包装機２４であり、各組立体は、好ましくは、図１と図１Ａに例示される型式からなり、成分部１２には錠剤１３を用いる。錠剤ホッパ２６又は類似の装置は、当該分野において公知の方法により製造される錠剤１３を収容および保持する。フィルムの第一スプール２８は、第一膜層すなわち下部膜層１４ａを形成するのに提供され、フィルムの第二スプール３０は、第二膜層すなわち上部膜層１４ｂを形成するのに提供される。スプールは、好ましくは、適当な張力で自動的に保持される。
【００１７】
錠剤１３は、ホッパ２６から所望の方向の下部膜層１４ａ上へ制御されて放出される。次に、上部膜層１４ｂが錠剤１３の上に載せられる（フィルムは裏地を有し、裏地は、好ましくは除去および廃棄のために巻き戻される）。機械２４は、フィルム１４ａ，１４ｂの少なくとも一つに自動的に穴を打ち抜き、その穴から、次のシーリング工程中、空気を吸引することができる。別の方法も可能である。二つのフィルム１４ａ，１４ｂ間に挟み込まれた錠剤とフィルムが一緒にプレスされ、二層中の空気は所望の真空レベルまで、打ち抜かれた穴から吸引される。
【００１８】
次に、二つのフィルムは、共にシールされ、好ましくは、加熱エレメントでフィルムと接触するようにプレスして、錠剤１３の周りに幅が約２〜３ｍｍの好ましくは気密性のヒートシールを形成し（空気吸引穴は、シールの外側にある）、それによって、シールされた錠剤／ポーチ組立体１８を形成する。シール温度は、好ましくは、約２００℃〜約２１０℃で、滞留時間は約２秒である。機械２４は、各サイクル中、複数の錠剤／ポーチ組立体１８を製造でき、錠剤／ポーチ組立体１８の連続した帯状片３２を形成する。完成された錠剤／ポーチ組立体は、スプール３４に巻き上げられるか、下記のように、さらに処理するため、錠剤ポーチ折り曲げカプセル化装置へ直接、送り込むことができる。機械２４は、当該分野において公知のように、プログラム可能なコントローラにより制御することができる。他の公知の吸引とシール方法が考えられる。例えば、フィルム／錠剤組立体の四つの側面のうち３つを、まずヒートシールし、次に、非シール側面のプレスフィルム／錠剤組立体から空気を吸引し、その後、最後の側面をシールすることができるだろう。しかも、その錠剤は、三つの側面をシール後にポーチ内に挿入でき、錠剤を挿入し、空気を真空ポンプにより吸引した後に、第四側面をシールすることができる。
【００１９】
錠剤／ポーチ組立体１８を製造する他の手段は、公知である。例えば、ガルフィールド（Ｇａｒｆｉｅｌｄ）のプロド−パク会社（Ｐｒｏｄｏ−Ｐａｋ  Ｃｏｒｐｏｒａｔｉｏｎ）製のカストマイズ機械、型番号ＲＶ  ９２５  ＷＳ−４ポーチ形成およびシール機を用いることができる。
【００２０】
図３を参照して、次にポーチ組立体の折り曲げとカプセル化装置３８を説明する。カプセル化装置３８は、ポーチ組立体１８を収容し、好ましくは、自動化および／またはコンピュータ制御様式で行なわれる以下に記載の段階により、カプセル化ポーチ組立体（徐放剤型１０）を製造する。図３で明らかなように、機械３８は、複数の工具ブロック４４を複数の作業位置（ＷＳ１〜ＷＳ１１）へ進める可動面を有し、その作業位置は、製造段階を実施する可動面の経路に沿って異なる位置に置かれる。例示の実施例において、可動面４１は、台枠４３上に取付けられた回転作業台４２の形態をとる。工具ブロック４４（図４Ａを参照）は、好ましくは、図示のように作業台４２の外縁に沿って取り付けられ、各工具ブロック４４は、処理のため、少なくとも一つの成分／ポーチ組立体１８を収容および保持できる。作業台４２は、割り出し位置を回転させ、成分／ポーチ組立体１８を、好ましくは、種々の製造段階が実施される円形進路に沿って異なる作業位置へ進める。好ましくは、定置式の上部支持作業台５８は、以下に記載のように保持器を支える。作業台４２の回転は、好ましくは、コントローラか、当該分野で公知のようなモータを制御する他の適当な自動化手段により制御され、成分／ポーチ組立体１８を複数の作業位置へ動かし、そこで種々の段階が実行されて、最終カプセル型製品１０を製造する。
【００２１】
図３と図４を参照すると、ポーチ組立体１８の帯状片３２は、機械２４のようなポーチ包装機から直接か、図３に示されるようなスプール３４からか、あるいは他の適した手段からのいずれかから、作業位置１（ＷＳ１）で機械３８へ送り出される。帯状片３２は、溝付き帯状片牽引器か指示器（indexer）４８を通って移動し、溝付き支持棚５０上に載っている一つ以上のポーチ組立体１８は、帯状片からポーチ又はポーチ類を切断するブレード５４を備えた図示の回転カッターのようなカッター５２により、入ってくる帯状片３２から除去される。空気圧動作式鋏式装置又はレーザのような任意の他の適当なカッターを使用してもよい。ポーチの帯状片を必要としないが、個々のポーチを棚５０上へ置く手段など、ポーチ組立体を棚５０へ供する任意の適した手段を使用してもよい。
【００２２】
図４と図４Ａをさらに参照すると、品物を掴み取り、保持するための吸引力と取り付けを制御するための映像システムを用いるユニットのような水平搬送ユニット５６は、棚５０から、除去されたポーチ組立体１８を掴み取り、図４Ａに見られるような工具ポケット６０の左上部分の直上の工具ブロック４４の部分の上に置く。図４Ａで明らかなように、工具ブロック４４は、通路６２を備える。その通路は、好ましくは円筒形で、ブロック４４の長手方向へ延び、ブロック４４の両側面に開口部６４ａ、６４ｂを有する。工具ポケット６０は、図示のように、外面好ましくはブロック４４の上面６６から、通路６２へ下方へ延びる。ボルト６８は、工具ブロック４４を作業台４２に連結する。ポーチ組立体のフラップの少なくとも一つと係合し、それを折り曲げるようにした少なくとも一つの折り曲げ部材は、ブロック４４の上面６６でスライド可能である。例示の実施例において、この折り曲げ部材は、左右の折り曲げアーム、それぞれ７０ａ、７０ｂの形をとる。折り曲げアーム７０ａ，７０ｂは、以下に記載するように、成分／ポーチ組立体１８を折り曲げるため、僅かに凹状か溝形の領域７２内を工具ポケット６０へスライドし、そこからスライドして遠ざかる。凹み領域７２の表面は、好ましくは、通路６２の上部とほぼ同じ凹凸である。
【００２３】
図５を参照すると、作業位置１（ＷＳ１）の工具ブロック４４上にポーチ組立体１８を配置後、作業台４２は、好ましくは、回転してポーチ組立体を作業位置２（ＷＳ２）へ導き、そこで、映像カメラ７６が組立体１８のポーチ１６のシールの品質などを検査し、成分部１２に破損が生じていないかどうかを測定する。このような映像システムは、当該分野において公知である。ポーチ組立体１８は、また、当該分野において公知なように、重量により検査し、ポーチ組立体が所望量の有効成分を含有しているかどうかを測定することができる。ポーチ組立体１８に欠陥がある状況に適応させるため、本実施例は、欠陥品を作業位置３  ＷＳ３で除去することができ、作業台４２は、錠剤／ポーチ組立体１８を真空変換器下に導き、真空ポンプか、他の適した手段によりポーチ組立体を除去する。欠陥がなければ、錠剤／ポーチ組立体１８は、引き続き作業台４２が回転して作業位置４（ＷＳ４）へ移動する。
【００２４】
図６と図６Ａを参照すると、作業位置４（ＷＳ４）でポーチ組立体１８は、工具ブロック４４内へ挿入され、ポーチ組立体１８の折り曲げを開始する。ポーチ組立体１８の上方で上部支持体５８上に支えられるのは、例示のラム８６のような押し部材を備えたアーム８４である。ラム８６は、図６に示される引っ込み位置から伸張位置に下方へ伸びることができ、それによってポーチ組立体１８を工具ポケット６０から円筒形通路６２内へ押す。ラム８６は、好ましくは、ポーチ組立体１８の上部の形と一致する形状にした頭部８８を有し、より好ましくは、有効成分部１２の上部の形に相当することにより、ポーチ組立体１８の損傷を回避する。様々な頭部形を備えた異なるラムか類似の構造物８６を組立体１８の異なる形状に応じて使用してもよい。
【００２５】
図６Ａを参照すると、ポーチ組立体１８が工具ポケット６０内へ下方へ押されるので、ポーチ１６の側部フラップ１５ａ、１５ｂの少なくとも一部分は、成分部１２を中心にして上方へ押しやられ／折り曲げられ、上方へ延びる側部フラップ１５ａ，１５ｂを残すことがわかる。好ましくは、側部フラップの少なくとも一部分、好ましくは実質的部分が、この位置で工具ポケット６０から外へ延びる。一旦、ラム８６が引っ込むと、作業台４２はポーチ組立体１８（工具ブロック内の）をさらに折り曲げるため、作業位置５（ＷＳ５）へ動かす。
【００２６】
図７，図７Ａおよび図７Ｂを参照すると、作業位置５（ＷＳ５）で、本実施例の最終折り曲げ動作を行う。作業位置５のアーム９２は、折り曲げアーム７０ａ、７０ｂの開口部９６と係合するピン９４を有する。最終折り曲げ動作では、アーム９２は、ピン９４が折り曲げアームの開口部と係合できるように下降する。任意の様式の適した駆動機又はモータ装置９３を、アームを動かすピンの移動に使用してもよい。まず、右折り曲げアーム７０ａを左へ動かして、ポーチ１６の右側部フラップ１５ｂを左へほぼ９０度に折り曲げる（図６Ａも参照）。次に、左折り曲げアーム７０ｂを右へ動かして、ポーチ１６の左側部フラップを右へほぼ９０度に折り曲げる。右折り曲げアーム７０ａは、次に、引っ込んで、ポーチ組立体１８の対向端から離れ、左折り曲げアーム７０ｂが右へ移動し、好ましくは、図７Ｂに示すように、通路６２内の折り曲げポーチ組立体を完全に覆い、閉じ込める。折り曲げられたポーチ組立体１８は、すぐにもカプセル化できる状態にある。
【００２７】
さらに作業台４２が進行後、作業位置６（ＷＳ６）で、図８と図８Ａを参照すると、工具ブロック４４の後部側で通路６２へ至る開口部６４ｂは、ゲルカプセル本体２０ａを工具ブロック４４へ引き渡す供給管１００と整列する。ボール型供給器１０２（図３）は、当該分野において公知のような手段により適切な向きに置かれたゲルカプセル本体２０ａを図示のように、供給管１００から工具ブロック４４へ供給する。
【００２８】
ゲルキャップ２０ａと共に工具ブロック４４は、次に、作業位置７（ＷＳ７）へ進み、そこで折り曲げポーチ組立体１８がゲルカプセル本体２０ａ内に挿入される。図９と図９Ａを参照すると、水平式押し棒かラム１０６のような押し部材が、駆動機１０８から通路６２を通って伸び、折り曲げポーチ組立体１８をゲルカプセル本体２０ａ内に押す。遮断板又は押し棒１０６と類似の図９に示すような駆動式支援押し棒のような保持手段は、ポーチ組立体がカプセル本体２０ａ内へ押されるとき、後部開口部６４ａへ移動して、カプセル本体２０ａを動かないようにすることができる。次に、ラム１０６および任意の支援押し棒が引っ込み、工具ブロック４４から離れる。ラム駆動機１０８は、好ましくは、機械２４の台枠４３上に支えられる。
【００２９】
作業位置８（ＷＳ８）では、図１０を参照すると、カプセル本体２０ａ内で折り曲げられたポーチ組立体１８（ポーチ／カプセル本体１９）は、さらに処理するため、通路６２内に再配置される。このとき、台枠４３上に支えられる水平ラム１１１は、通路６２を通って伸び、ポーチ／カプセル本体組立体１９を工具ブロック４４の後部側から外へ出し、水平搬送グリッパ（表示なし）内へ移動させる。次に、水平搬送グリッパは、ポーチ／カプセル本体組立体１９を工具ポケット６０の前方端へ移動させ、次いで図示のように通路６２内へ移動させる。
【００３０】
作業位置９（ＷＳ９）では、図１１と図１１ａを参照すると、通路６２の前方開口部６４ａは、第二供給管１１２と整列し、第二供給管１１２を通ってカプセルキャップ２０ｂが工具ブロック４４へ引き渡される。ボール型供給器１１４は、図示のように、単一のカプセルキャップ２０ｂを供給管１１２から供給する（図３を参照）。
【００３１】
工具ブロック４４は、次に、作業位置１０（ＷＳ１０）へ進み、ポーチ／カプセル本体組立体１９がカプセルキャップ２０ｂ内に挿入される。図１２と図１２Ａを参照すると、後方の水平押し棒かラム１２０が駆動機１２２から通路６２を通って伸び、ポーチ／カプセル本体組立体１９をカプセルキャップ２０ｂ内に押し、前方の駆動機１２６から伸びる前方水平押し棒かラム１２４により適所に保持される。二つのラムの前端は、好ましくは、カプセル部の形と一致するような形状にし、損傷を防止する。カプセル本体とキャップ２０ａ、２０ｂが互いに装着された後、好ましくは当該分野において公知なように共に固定された後、両ラム１２０、１２４が引っ込み、工具ブロック４４から離れる。次に、二つの折り曲げアーム７０ａ、７０ｂが、折り曲げアーム７０ａ，７０ｂの開口部９６とインターフェースで連結するためのピン１３１を備えた駆動式アーム１３０により引っ込められる。
【００３２】
図１０Ａと図１０Ｂを参照すると、円筒形通路６２は、好ましくは、均一な直径から構成されず、そこで行なわれるべき処理段階に応じて異なる直径部分を有することができる。例えば、例示の実施例において、末端６４ｂの通路部分６２ａは、ＷＳ６でカプセル本体２０ａを収容する寸法にしてある。図６ａに示すようなポーチ組立体を保持するポケット６０の上方部分の下の通路６２部分から始まり、部分６２ａへ延びる通路部分６２ｂは、カプセル本体２０ｂの内径より大きくない寸法、好ましくは僅かに小さくし、折り曲げられたポーチ組立体１８をカプセル本体２０ａ内に容易に挿入できるようにしてある。末端６４ａでの通路部分６２ｃは、ＷＳ９でカプセルキャップ２０ｂを収容する寸法にしてある。ＷＳ８（図１０）で巻き付けられたポーチ／カプセル本体１９を収容するポケット６０の上方部分の下の通路６２部分から始まって部分６２ｃへ延びる通路部分６２ｄは、カプセル本体２０ｂの直径の寸法にしてあるが、部分６２ｃの直径より小さくし、カプセル本体２０ａをカプセルキャップ２０ｂ内に容易に挿入できるようにしてある。部分６２ａ、６２ｂ、６２ｃおよび６２ｄ間での直径の好ましい変化位置６２ｅは、図１０Ａにおいて点線で示される。また、管１００により通路６２へ引き渡されるとき、通路部分６２ａから６２ｂの直径の変化は、カプセル本体２０ｂの移動を停止させるショルダ６２ｆとして機能するものとする。同様に、管１１２により通路６２へ引き渡されるとき、通路部分６２ｃから６２ｄの直径の変化は、カプセルキャップ２０ａの移動を停止させるショルダ６２ｆとして機能する。テーパ型部分６２ｇは、ポーチ組立体とカプセル本体２０ａが通路６２内を滑らかに移動するのを助けるために供給することができる。通路６２に適した他の形状構成を使用することができる。
【００３３】
図１３と図１３Ａを参照すると、作業位置１１（ＷＳ１１）で行われる最終処理段階が記載される。ここで、最終胃内保持器１０（結合型カプセル／ポーチ組立体）が点検され、適当な容器へ向けられる。水平押し棒１３２は、通路６２内へ伸び、胃内保持器１０を工具ブロック４４から支持棚１３４上へ放出し、そこでカメラ１３６により点検することができる。組立体を収容可能であれば、押し棒１３２がさらに伸びて胃内保持器１０を収容して瓶内へ押し、収容できなくて拒絶されると、胃内保持器１０は拒絶容器内へ放出される。これは、組立体を受け入れ瓶又は拒絶容器に向ける二つのシュート又はトラフ間で組立体を迂回させるコントローラによるか、任意の他の適当な手段により制御される迂回アーム（表示なし）で達成することができる。
【００３４】
次に、作業台４２が回転して、工具ブロック４４を作業位置１（ＷＳ１）に戻し、新しいポーチ組立体１８をカプセル化するため収容する。作業台４２は、連続自動化方法で複数のポーチ組立体１８を処理する複数の工具ブロック４４を有することが明らかである。
【００３５】
図１４を参照すると、装置は、連動安全ドア１４２を設け、作業員の不注意から起こる損傷および製品の汚染を防ぐためハウジング１４０内に格納することができる。様々な処理段階を制御するため、任意の適当な制御システムを使用してもよい。
【００３６】
様々な構成要素に当該分野において公知のような任意の適当な材料を使用してもよい。例えば、ＡＮＳＩ３１６ステンレス鋼を製品接触面に使用してもよい。これらの表面とその関係溶接は、好ましくは、部材７をミラー仕上げに研磨する。ＡＮＳＩ３０４ステンレス鋼を他の場所で使用してもよい。Ｎｏ．４仕上げを剥き出し（ｎｏｎ−ｓｈｅｄ）の金属性非製品接触面との溶接に提供することができる。
【００３７】
上記のように本発明は、好適な胃内保持器１０を製造する経済的な手段を提供する。
本発明の特定の実施例を本明細書において記載するが、本発明をこのような開示物に限定しようとするものではなく、本発明の範囲内で変更および改造を組み入れ、具体化してもよい。
【図面の簡単な説明】
【００３８】
【図１】範例胃内保持器の成分／ポーチ組立体の斜視図。
【図１Ａ】図１の線１Ａ−１Ａに沿って切り取った断面図。
【図１Ｂ】カプセル内に図１の成分／ポーチ組立体を有するカプセル型胃内保持器の斜視図。
【図２】成分／ポーチ包装機の斜視図。
【図３】本発明のカプセル化装置の斜視図。
【図４】図３に示されるカプセル化装置の作業位置１の例示。
【図４Ａ】工具ブロック上の成分／ポーチ組立体を示す作業位置１の詳細図。
【図５】図３に示されるカプセル化装置の作業位置２と３の例示。
【図６】カプセル化装置の作業位置４の例示。
【図６Ａ】作業位置４での工具ブロック内の成分／ポーチ組立体。
【図７】カプセル化装置の作業位置５の例示。
【図７Ａ】折り曲げ動作が完成後の作業位置５での工具ブロックに対する折り曲げアーム。
【図７Ｂ】図７に示される折り曲げ成分／ポーチ組立体を示す側面図。
【図８】ゲルカプセル本体が工具ブロックへ送り込まれるカプセル化装置の作業位置６の例示。
【図８Ａ】作業位置６での工具ブロックの詳細図。
【図９】折り曲げ成分／ポーチ組立体がゲルカプセル本体内へ挿入されるカプセル化装置の作業位置７の例示。
【図９Ａ】作業位置７での工具ブロックの詳細図。
【図１０】折り曲げ成分／ポーチ組立体がさらに別の組立体動作のために再配置されるカプセル化装置の作業位置８の例示。
【図１０Ａ】作業位置８での工具ブロックの詳細図。
【図１０Ｂ】図１０Ａの線１０Ｂ〜１０Ｂに沿って切り取った断面図。
【図１１】ゲルカプセルキャップが工具ブロック内へ送り込まれるカプセル化装置の作業位置９の例示。
【図１１Ａ】作業位置９での工具ブロックの詳細図。
【図１２】折り曲げ成分／ポーチ組立体がゲルカプセルキャップ内に挿入されるカプセル化装置の作業位置１０の例示。
【図１２Ａ】作業位置１０での工具ブロックの詳細図。
【図１３】完成した徐放型が検査され、適当な容器へ向けられるカプセル化装置の作業位置１１の例示。
【図１３Ａ】作業位置１１での工具ブロックの詳細図。
【図１４】成分／ポーチ包装機とカプセル化装置。カプセル化装置は、囲い内に示される。
【図１】
2007500030.tif 000003
【図１Ａ】
2007500030.tif 000004
【図１Ｂ】
2007500030.tif 000005
【図２】
2007500030.tif 000006
【図３】
2007500030.tif 000007
【図４】
2007500030.tif 000008
【図４Ａ】
2007500030.tif 000009
【図５】
2007500030.tif 000010
【図６】
2007500030.tif 000011
【図６Ａ】
2007500030.tif 000012
【図７】
2007500030.tif 000013
【図７Ａ】
2007500030.tif 000014
【図７Ｂ】
2007500030.tif 000015
【図８】
2007500030.tif 000016
【図８Ａ】
2007500030.tif 000017
【図９】
2007500030.tif 000018
【図９Ａ】
2007500030.tif 000019
【図１０】
2007500030.tif 000020
【図１０Ａ】
2007500030.tif 000021
【図１０Ｂ】
2007500030.tif 000022
【図１１】
2007500030.tif 000023
【図１１Ａ】
2007500030.tif 000024
【図１２】
2007500030.tif 000025
【図１２Ａ】
2007500030.tif 000026
【図１３】
2007500030.tif 000027
【図１３Ａ】
2007500030.tif 000028
【図１４】
2007500030.tif 000029
【国際調査報告】
2007500030.tif 000030
2007500030.tif 000031
2007500030.tif 000032
2007500030.tif 000033